(57)【特許請求の範囲】
【請求項１】
物体側から順に、正のパワーを有する第１レンズ群と、負のパワーを有する第２レンズ群と、正のパワーを有する第３レンズ群と、負のパワーを有する第４レンズ群とからなり、
フォーカシングに際して、前記第１レンズ群及び第４レンズ群が像面に対して位置固定であり、各レンズ群間隔が変化するように前記第２レンズ群及び第３レンズ群がそれぞれ光軸方向に移動し、
前記第１レンズ群が物体側に凸の負メニスカスレンズを最も物体側に有し、
前記第２レンズ群及び第３レンズ群がそれぞれ２枚以下のレンズからなり、
以下の条件式（１）を満足することを特徴とする撮像レンズ；
−７．６＜ｆ２／ｆ＜−３．０  …（１）
ただし、
ｆ２：第２レンズ群の焦点距離、
ｆ：全系の焦点距離、
である。
【請求項２】
以下の条件式（２）を満足することを特徴とする請求項１記載の撮像レンズ；
−５．１＜ｆ４／ｆ＜−１．４  …（２）
ただし、
ｆ４：第４レンズ群の焦点距離、
ｆ：全系の焦点距離、
である。
【請求項３】
以下の条件式（３）を満足することを特徴とする請求項１又は２記載の撮像レンズ；
１．０＜ｆ２／ｆ４＜２．２  …（３）
ただし、
ｆ２：第２レンズ群の焦点距離、
ｆ４：第４レンズ群の焦点距離、
である。
【請求項４】
以下の条件式（４）を満足することを特徴とする請求項１〜３のいずれか１項に記載の撮像レンズ；
０．８＜ｆ１／ｆ３＜１．８  …（４）
ただし、
ｆ１：第１レンズ群の焦点距離、
ｆ３：第３レンズ群の焦点距離、
である。
【請求項５】
前記第２レンズ群が、物体側から順に負レンズ及び正レンズで構成された接合レンズからなることを特徴とする請求項１〜４のいずれか１項に記載の撮像レンズ。
【請求項６】
前記第２，第３レンズ群のうちの少なくとも一方が、レンズ１枚のみからなることを特徴とする請求項１〜５のいずれか１項に記載の撮像レンズ。
【請求項７】
前記第２レンズ群よりも物体側に絞りが位置することを特徴とする請求項１〜６のいずれか１項に記載の撮像レンズ。
【請求項８】
前記第３レンズ群に非球面を１面以上含むことを特徴とする請求項１〜７のいずれか１項に記載の撮像レンズ。
【請求項９】
以下の条件式（１ａ）を満足することを特徴とする請求項１〜８のいずれか１項に記載の撮像レンズ；
−７．６＜ｆ２／ｆ＜−３．７  …（１ａ）
ただし、
ｆ２：第２レンズ群の焦点距離、
ｆ：全系の焦点距離、
である。
【請求項１０】
以下の条件式（２ａ）を満足することを特徴とする請求項１〜９のいずれか１項に記載の撮像レンズ；
−５．１＜ｆ４／ｆ＜−３．５  …（２ａ）
ただし、
ｆ４：第４レンズ群の焦点距離、
ｆ：全系の焦点距離、
である。
【請求項１１】
前記第１レンズ群内に絞りを有することを特徴とする請求項１〜１０のいずれか１項に記載の撮像レンズ。
【請求項１２】
近物体距離へのフォーカシングに際して、前記第２レンズ群が像側へ移動し、前記第３レンズ群が物体側へ移動することを特徴とする請求項１〜１１のいずれか１項に記載の撮像レンズ。
【請求項１３】
近物体距離へのフォーカシングに際して、前記第２レンズ群及び第３レンズ群がそれぞれ物体側へ移動することを特徴とする請求項１〜１１のいずれか１項に記載の撮像レンズ。
【請求項１４】
請求項１〜１３のいずれか１項に記載の撮像レンズと、撮像面上に形成された光学像を電気的な信号に変換する撮像素子と、を備え、前記撮像素子の撮像面上に被写体の光学像が形成されるように前記撮像レンズが設けられていることを特徴とする撮像光学装置。
【請求項１５】
請求項１４記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明は撮像レンズ，撮像光学装置及びデジタル機器に関するものであり、例えば、被写体の映像を撮像素子（例えば、ＣＣＤ(Charge Coupled Device)型イメージセンサー，ＣＭＯＳ(Complementary Metal-Oxide Semiconductor)型イメージセンサー等の固体撮像素子）で取り込むレンズ交換式デジタルカメラに適したコンパクトで大口径の撮像レンズと、その撮像レンズ及び撮像素子で取り込んだ被写体の映像を電気的な信号として出力する撮像光学装置と、その撮像光学装置を搭載したデジタルカメラ等の画像入力機能付きデジタル機器と、に関するものである。
【背景技術】
【０００２】
近年、デジタル一眼レフカメラにおいては、高画素化の進展に加えて、ユーザーが画像を容易に等倍確認できるようになってきている。そのため、大口径レンズにおいても、求められる光学性能のレベルがますます高くなっている。また、跳ね上げミラーを取り除いたミラーレスタイプのレンズ交換式デジタルカメラでは、コントラストＡＦ(autofocus)方式のフォーカシングをより一層高速化するために、フォーカス群を軽量化することが求められている。こういった要求に応えるため、高い光学性能を保持しつつフォーカス群を軽量化するのに適したタイプの撮像レンズが特許文献１〜３で提案されている。
【先行技術文献】
【特許文献】
【０００３】
【特許文献１】特開２０１０−２７１４５８号公報
【特許文献２】特開２０１２−４８０８４号公報
【特許文献３】特開２０１３−８３７８３号公報
【発明の概要】
【発明が解決しようとする課題】
【０００４】
しかし、特許文献１，２に記載の撮像レンズでは、第３レンズ群のパワーが大きいため、フォーカスによる非点収差や球面収差の収差変動が大きくなっている。また、いずれの撮像レンズもフォーカス群が３枚以上で構成されており、フォーカス群の軽量化が達成されていない。
【０００５】
特許文献３に記載の撮像レンズでは、フォーカス群のレンズ枚数を減らして軽量化することによりフォーカシングの高速化を可能としている。しかし、第１レンズ群の最も物体側に正レンズが配置されることにより、絞り前での負レンズのパワーが非常に大きくなっているため、第１レンズ群で発生するコマ収差や非点収差が撮像レンズ全体で良好に補正できていない。また、第２レンズ群のパワーが大きいため、フォーカスによる球面収差変動が大きくなってしまっている。
【０００６】
本発明はこのような状況に鑑みてなされたものであって、その目的は、フォーカス群が軽量化されており、すべての撮影距離において高い光学性能を保持しつつ広い撮影領域のフォーカシングが可能な撮像レンズ，それを備えた撮像光学装置及びデジタル機器を提供することにある。
【課題を解決するための手段】
【０００７】
上記目的を達成するために、第１の発明の撮像レンズは、物体側から順に、正のパワーを有する第１レンズ群と、負のパワーを有する第２レンズ群と、正のパワーを有する第３レンズ群と、負のパワーを有する第４レンズ群とからなり、
フォーカシングに際して、前記第１レンズ群及び第４レンズ群が像面に対して位置固定であり、各レンズ群間隔が変化するように前記第２レンズ群及び第３レンズ群がそれぞれ光軸方向に移動し、
前記第１レンズ群が物体側に凸の負メニスカスレンズを最も物体側に有し、
前記第２レンズ群及び第３レンズ群がそれぞれ２枚以下のレンズからなり、
以下の条件式（１）を満足することを特徴とする。
−７．６＜ｆ２／ｆ＜−３．０  …（１）
ただし、
ｆ２：第２レンズ群の焦点距離、
ｆ：全系の焦点距離、
である。
【０００８】
第２の発明の撮像レンズは、上記第１の発明において、以下の条件式（２）を満足することを特徴とする。
−５．１＜ｆ４／ｆ＜−１．４  …（２）
ただし、
ｆ４：第４レンズ群の焦点距離、
ｆ：全系の焦点距離、
である。
【０００９】
第３の発明の撮像レンズは、上記第１又は第２の発明において、以下の条件式（３）を満足することを特徴とする。
１．０＜ｆ２／ｆ４＜２．２  …（３）
ただし、
ｆ２：第２レンズ群の焦点距離、
ｆ４：第４レンズ群の焦点距離、
である。
【００１０】
第４の発明の撮像レンズは、上記第１〜第３のいずれか１つの発明において、以下の条件式（４）を満足することを特徴とする。
０．８＜ｆ１／ｆ３＜１．８  …（４）
ただし、
ｆ１：第１レンズ群の焦点距離、
ｆ３：第３レンズ群の焦点距離、
である。
【００１１】
第５の発明の撮像レンズは、上記第１〜第４のいずれか１つの発明において、前記第２レンズ群が、物体側から順に負レンズ及び正レンズで構成された接合レンズからなることを特徴とする。
【００１２】
第６の発明の撮像レンズは、上記第１〜第５のいずれか１つの発明において、前記第２，第３レンズ群のうちの少なくとも一方が、レンズ１枚のみからなることを特徴とする。
【００１３】
第７の発明の撮像レンズは、上記第１〜第６のいずれか１つの発明において、前記第２レンズ群よりも物体側に絞りが位置することを特徴とする。
【００１４】
第８の発明の撮像レンズは、上記第１〜第７のいずれか１つの発明において、前記第３レンズ群に非球面を１面以上含むことを特徴とする。
【００１５】
第９の発明の撮像レンズは、上記第１〜第８のいずれか１つの発明において、以下の条件式（１ａ）を満足することを特徴とする。
−７．６＜ｆ２／ｆ＜−３．７  …（１ａ）
ただし、
ｆ２：第２レンズ群の焦点距離、
ｆ：全系の焦点距離、
である。
【００１６】
第１０の発明の撮像レンズは、上記第１〜第９のいずれか１つの発明において、以下の条件式（２ａ）を満足することを特徴とする。
−５．１＜ｆ４／ｆ＜−３．５  …（２ａ）
ただし、
ｆ４：第４レンズ群の焦点距離、
ｆ：全系の焦点距離、
である。
【００１７】
第１１の発明の撮像レンズは、上記第１〜第１０のいずれか１つの発明において、前記第１レンズ群内に絞りを有することを特徴とする。
【００１８】
第１２の発明の撮像レンズは、上記第１〜第１１のいずれか１つの発明において、近物体距離へのフォーカシングに際して、前記第２レンズ群が像側へ移動し、前記第３レンズ群が物体側へ移動することを特徴とする。
【００１９】
第１３の発明の撮像レンズは、上記第１〜第１１のいずれか１つの発明において、近物体距離へのフォーカシングに際して、前記第２レンズ群及び第３レンズ群がそれぞれ物体側へ移動することを特徴とする。
【００２０】
第１４の発明の撮像光学装置は、上記第１〜第１３のいずれか１つの発明に係る撮像レンズと、撮像面上に形成された光学像を電気的な信号に変換する撮像素子と、を備え、前記撮像素子の撮像面上に被写体の光学像が形成されるように前記撮像レンズが設けられていることを特徴とする。
【００２１】
第１５の発明のデジタル機器は、上記第１４の発明に係る撮像光学装置を備えることにより、被写体の静止画撮影，動画撮影のうちの少なくとも一方の機能が付加されたことを特徴とする。
【発明の効果】
【００２２】
本発明によれば、フォーカス群が軽量化されており、すべての撮影距離において高い光学性能を保持しつつ広い撮影領域のフォーカシングが可能な撮像レンズ及び撮像光学装置を実現することができる。その撮像レンズ又は撮像光学装置をデジタル機器（例えばデジタルカメラ）に用いることによって、デジタル機器に対して高性能の画像入力機能を軽量・コンパクトに付加することが可能となる。
【図面の簡単な説明】
【００２３】
【図１】第１の実施の形態（実施例１）のレンズ構成図。
【図２】第２の実施の形態（実施例２）のレンズ構成図。
【図３】第３の実施の形態（実施例３）のレンズ構成図。
【図４】第４の実施の形態（実施例４）のレンズ構成図。
【図５】第５の実施の形態（実施例５）のレンズ構成図。
【図６】実施例１の縦収差図。
【図７】実施例２の縦収差図。
【図８】実施例３の縦収差図。
【図９】実施例４の縦収差図。
【図１０】実施例５の縦収差図。
【図１１】実施例１の第１フォーカスポジションでの横収差図。
【図１２】実施例１の第２フォーカスポジションでの横収差図。
【図１３】実施例２の第１フォーカスポジションでの横収差図。
【図１４】実施例２の第２フォーカスポジションでの横収差図。
【図１５】実施例３の第１フォーカスポジションでの横収差図。
【図１６】実施例３の第２フォーカスポジションでの横収差図。
【図１７】実施例４の第１フォーカスポジションでの横収差図。
【図１８】実施例４の第２フォーカスポジションでの横収差図。
【図１９】実施例５の第１フォーカスポジションでの横収差図。
【図２０】実施例５の第２フォーカスポジションでの横収差図。
【図２１】撮像光学装置を搭載したデジタル機器の概略構成例を示す模式図。
【発明を実施するための形態】
【００２４】
以下、本発明の実施の形態に係る撮像レンズ，撮像光学装置及びデジタル機器を説明する。本発明の実施の形態に係る撮像レンズは、物体側から順に、正のパワーを有する第１レンズ群と、負のパワーを有する第２レンズ群と、正のパワーを有する第３レンズ群と、負のパワーを有する第４レンズ群とからなり（パワー：焦点距離の逆数で定義される量）、フォーカシングに際して、前記第１レンズ群及び第４レンズ群が像面に対して位置固定であり、各レンズ群間隔が変化するように前記第２レンズ群及び第３レンズ群がそれぞれ光軸方向に移動する構成になっている。そして、前記第１レンズ群が物体側に凸の負メニスカスレンズを最も物体側に有し、前記第２レンズ群及び第３レンズ群がそれぞれ２枚以下のレンズからなり、以下の条件式（１）を満足することを特徴としている。
−７．６＜ｆ２／ｆ＜−３．０  …（１）
ただし、
ｆ２：第２レンズ群の焦点距離、
ｆ：全系の焦点距離、
である。
【００２５】
無限遠物体から至近距離物体へのフォーカシングにおいて、第１レンズ群と第４レンズ群を固定し、第２レンズ群と第３レンズ群をフォーカス群として移動させるフローティング方式を採用すると、フォーカス可能な撮影領域を広げながらも、無限遠から至近距離まで性能を落とさず、高い光学性能を達成することができる（フォーカス時の高性能化）。また、この構成を採用すると、フォーカス群のレンズ枚数低減により、フォーカス群を軽量化することができ、フォーカススピードを上げることができる（フォーカシングの高速化）。つまり、フォーカス群の重量を抑えると、オートフォーカスの速度を速めてフォーカス移動時間を抑えることが可能であり、これには、優れた使用感が得られるというメリットやモーターの負荷を軽減できるというメリット等がある。
【００２６】
物体側に凸の負メニスカスレンズを最も物体側に配置すると、第１レンズ群のパワーが大きくなり過ぎず、絞りの前で発生する球面収差をはじめとする諸収差を良好に補正しながらも、絞りより後での色コマ収差の発生を抑え、画面中心から周辺において高い光学性能を達成することができる。
【００２７】
さらに、正負正負のパワー配置を有する４群構成において第２群と第３群をフォーカス群とするフローティング方式では、全系に対する第２レンズ群のパワー比が、全系の焦点距離を短くし、かつ、良好に収差補正を行う上で重要になり、条件式（１）の範囲内である必要がある。条件式（１）は、この観点から第２レンズ群のパワーに関する好ましい条件範囲を規定している。
【００２８】
条件式（１）の下限を上回ることで、第２レンズ群のパワーが小さくなり過ぎず、絞りより後のレンズ群で発生する像面湾曲，非点収差等を良好に補正することができ、画面中心から周辺まで均質で高性能な解を提供することができる。一方、条件式（１）の上限を下回ることで、第２レンズ群のパワーが大きくなり過ぎず、絞りより後のレンズ群で発生するコマ収差等を抑えながらも、フォーカスによる球面収差変動を抑えることができ、撮影領域を広げながらも高い光学性能を達成することができる。また、第２レンズ群のパワーが大きくなり過ぎると相対的に第１レンズ群のパワーが小さくなり光学系全体での色収差補正が困難になるが、この条件式（１）の範囲内であることにより良好に収差を補正するパワー配置となっている。したがって、この条件式（１）を満たすことにより、コンパクトで大口径の撮像レンズにおいて、フォーカス時の高性能化とフォーカシングの高速化とをバランス良く達成することができる。
【００２９】
上記特徴的構成によると、フォーカス群が軽量化されており、すべての撮影距離において高い光学性能を保持しつつ広い撮影領域のフォーカシングが可能な撮像レンズ及びそれを備えた撮像光学装置を実現することができる。例えば、フォーカス可能な撮影領域を広げながらも、合焦時の性能変動が抑制された大口径広角レンズであって、フォーカス群の軽量化によりコントラストＡＦへの対応を効果的に行うことの可能な撮像レンズ及び撮像光学装置を実現することができる。その撮像レンズ又は撮像光学装置をデジタル機器（例えばデジタルカメラ）に用いることによって、デジタル機器に対して高性能の画像入力機能を軽量・コンパクトに付加することが可能となり、デジタル機器のコンパクト化，低コスト化，高性能化，高機能化等に寄与することができる。例えば、上記特徴的構成を有する撮像レンズは、デジタルカメラ用・ビデオカメラ用の交換レンズとして好適であるため、持ち運びに便利な軽量・小型の交換レンズを実現することができる。こういった効果をバランス良く得るとともに、更に高い光学性能，軽量・小型化等を達成するための条件等を以下に説明する。
【００３０】
以下の条件式（１ａ）を満足することが望ましい。
−７．６＜ｆ２／ｆ＜−３．７  …（１ａ）
この条件式（１ａ）は、前記条件式（１）が規定している条件範囲のなかでも、前記観点等に基づいた更に好ましい条件範囲を規定している。したがって、好ましくは条件式（１ａ）を満たすことにより、上記効果をより一層大きくすることができる。
【００３１】
以下の条件式（２）を満足することが望ましい。
−５．１＜ｆ４／ｆ＜−１．４  …（２）
ただし、
ｆ４：第４レンズ群の焦点距離、
ｆ：全系の焦点距離、
である。
【００３２】
条件式（２）は、第４レンズ群のパワーに関する好ましい条件範囲を規定している。この条件式（２）の下限を上回ることで、第４レンズ群のパワーが小さくなり過ぎず、絞りより後のレンズ群で発生するコマ収差を抑えることができる。また、相対的に第１レンズ群のパワーが小さくなり過ぎるのを抑えることができるため、第１レンズ群での像面湾曲の発生も抑えることができる。一方、条件式（２）の上限を下回ることで、第４レンズ群のパワーが大きくなり過ぎず、絞りより後のレンズ群でのサジタルコマ収差の発生を抑えることができる。また、相対的に第１レンズ群のパワーが大きくなり過ぎるのを抑えることができるため、第１レンズ群でのコマ収差の発生も抑えることができる。したがって、条件式（２）の範囲内であることにより、第４レンズ群のパワーが最適に保たれ、コマ収差をはじめとする諸収差を良好に補正し、画面周辺での光学性能を向上させることができる。
【００３３】
以下の条件式（２ａ）を満足することが望ましい。
−５．１＜ｆ４／ｆ＜−３．５  …（２ａ）
この条件式（２ａ）は、前記条件式（２）が規定している条件範囲のなかでも、前記観点等に基づいた更に好ましい条件範囲を規定している。したがって、好ましくは条件式（２ａ）を満たすことにより、上記効果をより一層大きくすることができる。
【００３４】
以下の条件式（３）を満足することが望ましい。
１．０＜ｆ２／ｆ４＜２．２  …（３）
ただし、
ｆ２：第２レンズ群の焦点距離、
ｆ４：第４レンズ群の焦点距離、
である。
【００３５】
条件式（３）は、第２レンズ群と第４レンズ群とのパワー比に関する好ましい条件範囲を規定している。この条件式（３）の下限を上回ることで、第４レンズ群に対する第２レンズ群のパワーが大きくなり過ぎず、色収差の発生を抑え、フォーカスによる球面収差変動を抑えることができる。一方、条件式（３）の上限を下回ることで、第２レンズ群に対する第４レンズ群のパワーが大きくなり過ぎず、像面湾曲・非点収差の発生を抑えることができる。したがって、条件式（３）の範囲内であることにより、第２レンズ群と第４レンズ群とのパワー比が最適に保たれ、光学系全体での諸収差の発生を良好に補正し、特に画面中心において高い光学性能を達成することができる。
【００３６】
以下の条件式（４）を満足することが望ましい。
０．８＜ｆ１／ｆ３＜１．８  …（４）
ただし、
ｆ１：第１レンズ群の焦点距離、
ｆ３：第３レンズ群の焦点距離、
である。
【００３７】
条件式（４）は、第１レンズ群と第３レンズ群とのパワー比に関する好ましい条件範囲を規定している。この条件式（４）の下限を上回ることで、第３レンズ群に対する第１レンズ群のパワーが大きくなり過ぎず、第１レンズ群で生じる色収差を良好に補正することができる。また、相対的に絞りより後のレンズ群のパワーが小さくなり、像面湾曲の発生を抑えることができる。一方、条件式（４）の上限を下回ることで、第１レンズ群に対する第３レンズ群のパワーが大きくなり過ぎず、絞りより後で発生する色収差を良好に補正し、フォーカスによる非点収差・球面収差の変動を抑えることができる。また、相対的に第１レンズ群のパワーが最適化され、第１レンズ群での色収差の発生を抑えることができる。したがって、条件式（４）の範囲内であることにより、第１レンズ群と第３レンズ群とのパワー比が最適に保たれ、光学系全体での諸収差の発生を良好に補正し、画面中心から周辺において高い光学性能を達成することができる。
【００３８】
前記第２レンズ群が、物体側から順に負レンズ及び正レンズで構成された接合レンズからなることが望ましい。第２レンズ群が負・正の接合レンズであることにより、フォーカスによる色収差の変動を抑え、すべての撮影領域において高い光学性能を達成することができる。また、レンズ枚数の低減が可能となるので、フォーカス群の軽量化を達成することができる。前記第２レンズ群が、物体側から順に両凹レンズ及び両凸レンズで構成された接合レンズからなることが更に望ましく、フォーカスによる色収差変動をより一層効果的に抑えることができる。
【００３９】
前記第２，第３レンズ群のうちの少なくとも一方が、レンズ１枚のみからなることが望ましい。第２レンズ群を負レンズ１枚のみで構成した場合、レンズ枚数の低減によるフォーカス群の軽量化を達成するとともに、フォーカスによる色収差変動を良好に補正することが可能となる。その負レンズとしては負メニスカスレンズが好ましく、第２レンズ群を負メニスカスレンズ１枚で構成することにより、フォーカス群の軽量化とフォーカス時の色収差変動の抑制を更に効果的に達成することができる。また、第３レンズ群を正レンズ１枚のみで構成した場合、レンズ枚数の低減によるフォーカス群の軽量化を達成するとともに、フォーカスによるコマ収差変動を良好に補正することが可能となる。その正レンズとしては両凸レンズが更に好ましい。したがって、第２レンズ群及び第３レンズ群を各々レンズ１枚構成とした場合、フォーカス群の更なる軽量化を達成するとともに、フォーカスによる色収差変動及びコマ収差変動を更に効果的に抑えることが可能となる。
【００４０】
前記第２レンズ群よりも物体側に絞りが位置することが望ましい。フォーカス群である第２，第３レンズ群を絞りより後に配置することにより、フォーカスによる色収差変動を良好に補正することができる。
【００４１】
前記第１レンズ群内に絞りを有することが望ましい。第１レンズ群内に絞りを配置すると、撮像レンズ全体の径を小さくすることができるとともに、フォーカス群である第２，第３レンズ群の径も同時に小さくすることができる。
【００４２】
絞りの像側に隣り合って位置するレンズが像側に凸面を向けた正メニスカスレンズであることが望ましい。像側に凸面を向けた正メニスカスレンズを絞りの像側に隣り合うように配置することにより、絞りの前後で発生する球面収差を良好に補正することができる。
【００４３】
前記第３レンズ群に非球面を１面以上含むことが望ましい。第３レンズ群に非球面を１面以上含むことにより、フォーカスにより発生する諸収差を良好に補正しながらも、サジタルコマ収差を良好に補正することが可能となる。なお、第３レンズ群における非球面の配置は、物体側寄り・像側寄りのいずれでも有効であるが、像側寄りに配置する方がより一層効果的である。
【００４４】
近物体距離へのフォーカシングに際して、前記第２レンズ群が像側へ移動し、前記第３レンズ群が物体側へ移動することが望ましい。このフォーカス移動タイプによると、第２レンズ群のパワーが小さくなり過ぎず、絞りより後のレンズ群で発生する像面湾曲，非点収差等を良好に補正することができ、画面中心から画面周辺まで均質で高性能な解を提供することができる。また、第４レンズ群のパワーが小さくなり過ぎず、絞りより後のレンズ群で発生するコマ収差を抑えることがきる。さらに、相対的に第１レンズ群のパワーが小さくなり過ぎるのを抑えることができるため、第１レンズ群での像面湾曲発生も抑えることができる。このフォーカス移動タイプでは、近物体距離へのフォーカシングに際して、第２レンズ群と第３レンズ群との間隔が狭くなるように移動することが更に望ましい。
【００４５】
近物体距離へのフォーカシングに際して、前記第２レンズ群及び第３レンズ群がそれぞれ物体側へ移動することが望ましい。このフォーカス移動タイプによると、第２レンズ群のパワーが大きくなり過ぎず、絞りより後のレンズ群で発生するコマ収差を抑えながらも、フォーカスによる球面収差変動を抑えることができ、撮影領域を広げながらも高い光学性能を達成することができる。また、第４レンズ群のパワーが大きくなり過ぎず、絞りより後のレンズ群でのサジタルコマ収差の発生を抑えることができる。さらに、相対的に第１レンズ群のパワーが大きくなり過ぎるのを抑えることができるため、第１レンズ群でのコマ収差の発生も抑えることができる。このフォーカス移動タイプでは、近物体距離へのフォーカシングに際して、第２レンズ群と第３レンズ群との間隔が広くなるように移動することが更に望ましい。
【００４６】
以上説明した撮像レンズは、画像入力機能付きデジタル機器（例えば、レンズ交換式デジタルカメラ）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する撮像レンズと、その撮像レンズにより形成された光学像を電気的な信号に変換する撮像素子と、を備えることにより構成される。そして、撮像素子の受光面（すなわち撮像面）上に被写体の光学像が形成されるように、前述した特徴的構成を有する撮像レンズが配置されることにより、小型・低コストで高い性能を有する撮像光学装置やそれを備えたデジタル機器を実現することができる。
【００４７】
画像入力機能付きデジタル機器の例としては、デジタルカメラ，ビデオカメラ，監視カメラ，防犯カメラ，車載カメラ，テレビ電話用カメラ等のカメラが挙げられる。また、パーソナルコンピューター，携帯用デジタル機器（例えば、携帯電話，スマートフォン（高機能携帯電話），タブレット端末，モバイルコンピューター等），これらの周辺機器（スキャナー，プリンター，マウス等），その他のデジタル機器（ドライブレコーダー，防衛機器等）等に内蔵又は外付けによりカメラ機能が搭載されたものが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００４８】
図２１に、画像入力機能付きデジタル機器の一例として、デジタル機器ＤＵの概略構成例を模式的断面で示す。図２１に示すデジタル機器ＤＵに搭載されている撮像光学装置ＬＵは、物体（すなわち被写体）側から順に、物体の光学像（像面）ＩＭを形成する撮像レンズＬＮ（ＡＸ：光軸）と、撮像レンズＬＮにより受光面（撮像面）ＳＳ上に形成された光学像ＩＭを電気的な信号に変換する撮像素子ＳＲと、を備えており、必要に応じて平行平面板（例えば、撮像素子ＳＲのカバーガラス；必要に応じて配置される光学的ローパスフィルター，赤外カットフィルター等の光学フィルター等に相当する。）も配置される。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱可能又は回動可能に構成することが可能である。
【００４９】
撮像レンズＬＮは、４群構成の撮像レンズであり、フォーカシングに際して、正パワーの第１レンズ群と負パワーの第４レンズ群が像面に対して位置固定であり、各レンズ群間隔が変化するように負パワーの第２レンズ群と正パワーの第３レンズ群がそれぞれ光軸ＡＸ方向に移動するインナーフォーカス方式を採用しており、撮像素子ＳＲの受光面ＳＳ上に光学像ＩＭを形成する構成になっている。撮像素子ＳＲとしては、例えば複数の画素を有するＣＣＤ型イメージセンサー，ＣＭＯＳ型イメージセンサー等の固体撮像素子が用いられる。撮像レンズＬＮは、撮像素子ＳＲの光電変換部である受光面ＳＳ上に被写体の光学像ＩＭが形成されるように設けられているので、撮像レンズＬＮによって形成された光学像ＩＭは、撮像素子ＳＲによって電気的な信号に変換される。
【００５０】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピューターからなっており、撮影機能（静止画撮影機能，動画撮影機能等），画像再生機能等の機能の制御；フォーカシング，手ぶれ補正等のためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００５１】
次に、撮像レンズＬＮの第１〜第５の実施の形態を挙げて、その具体的な光学構成を更に詳しく説明する。図１〜図５は、第１〜第５の実施の形態を構成する撮像レンズＬＮにそれぞれ対応するレンズ構成図であり、第１フォーカスポジションＰＯＳ１（無限遠物体距離状態）と第２フォーカスポジションＰＯＳ２（最短物体距離状態）でのレンズ配置を光学断面で示している。第１フォーカスポジションＰＯＳ１から第２フォーカスポジションＰＯＳ２へのフォーカシングにおける第２レンズ群Ｇｒ２と第３レンズ群Ｇｒ３の移動を矢印ｍＦ２，ｍＦ３で示す。
【００５２】
いずれの実施の形態も、撮像レンズＬＮは正負正負の４群構成になっており、フォーカシングに関して、第１レンズ群Ｇｒ１及び第４レンズ群Ｇｒ４が固定群であり、第２レンズ群Ｇｒ２及び第３レンズ群Ｇｒ３が可動群（フォーカス群）である。また、最も物体側のレンズＬ１１が物体側に凸の負メニスカスレンズであり、第１レンズ群Ｇｒ１に絞り（開口絞り）ＳＴを有し、第２レンズ群Ｇｒ２及び第３レンズ群Ｇｒ３のレンズ枚数はそれぞれ２枚以下である。なお、撮像レンズＬＮと像面ＩＭとの間には平行平面板ＰＴが配置されており、この平行平面板ＰＴは、撮像素子ＳＲのカバーガラス等のトータルの光学厚みに等価なガラス平板である。
【００５３】
第１の実施の形態の撮像レンズＬＮ（図１）において、各レンズ群は物体側から順に以下のように構成されている。第１レンズ群Ｇｒ１は、物体側に凸面を向けた負メニスカスレンズＬ１１と、両凸の正レンズＬ１２及び両凹の負レンズＬ１３からなる接合レンズと、両凹の負レンズＬ１４と、両凸の正レンズＬ１５と、両凹の負レンズＬ１６及び両凸の正レンズＬ１７からなる接合レンズと、両凸の両面非球面の正レンズＬ１８と、絞りＳＴと、で構成されている。第２レンズ群Ｇｒ２は、物体に凸面を向けた両面非球面の負メニスカスレンズＬ２１のみで構成されている。第３レンズ群Ｇｒ３は、両凸の両面非球面の正レンズＬ３１のみで構成されている。第４レンズ群Ｇｒ４は、両凹の負レンズＬ４１のみで構成されている。近物体距離へのフォーカシングに際して、第２レンズ群Ｇｒ２と第３レンズ群Ｇｒ３との間隔が狭くなるように、第２レンズ群Ｇｒ２が像側に移動し（矢印ｍＦ２）、第３レンズ群Ｇｒ３が物体側に移動する（矢印ｍＦ３）。
【００５４】
第２の実施の形態の撮像レンズＬＮ（図２）において、各レンズ群は物体側から順に以下のように構成されている。第１レンズ群Ｇｒ１は、物体側に凸面を向けた負メニスカスレンズＬ１１と、両凹の負レンズＬ１２と、両凸の正レンズＬ１３と、両凸の正レンズＬ１４と、両凸の正レンズＬ１５及び両凹の負レンズＬ１６からなる接合レンズと、絞りＳＴと、像側に凸面を向けた正メニスカスレンズＬ１７と、で構成されている。第２レンズ群Ｇｒ２は、両凹の負レンズＬ２１と両凸の正レンズＬ２２からなる接合レンズのみで構成されており、この接合レンズの最も像側のレンズ面は非球面からなっている。第３レンズ群Ｇｒ３は、両凸の両面非球面の正レンズＬ３１のみで構成されている。第４レンズ群Ｇｒ４は、両凹の負レンズＬ４１及び物体に凸面を向けた正メニスカスレンズＬ４２からなる接合レンズのみで構成されている。近物体距離へのフォーカシングに際して、第２レンズ群Ｇｒ２と第３レンズ群Ｇｒ３との間隔が広くなるように、第２レンズ群Ｇｒ２及び第３レンズ群Ｇｒ３がそれぞれ物体側へ移動する（矢印ｍＦ２，ｍＦ３）。
【００５５】
第３の実施の形態の撮像レンズＬＮ（図３）において、各レンズ群は物体側から順に以下のように構成されている。第１レンズ群Ｇｒ１は、物体側に凸面を向けた負メニスカスレンズＬ１１と、両凹の負レンズＬ１２と、像側に凸面を向けた正メニスカスレンズＬ１３と、両凸の正レンズＬ１４と、両凸の正レンズＬ１５及び両凹の負レンズＬ１６からなる接合レンズと、絞りＳＴと、像側に凸面を向けた正メニスカスレンズＬ１７と、で構成されている。第２レンズ群Ｇｒ２は、両凹の負レンズＬ２１と両凸の正レンズＬ２２からなる接合レンズのみで構成されており、この接合レンズの最も像側のレンズ面は非球面からなっている。第３レンズ群Ｇｒ３は、両凸の両面非球面の正レンズＬ３１のみで構成されている。第４レンズ群Ｇｒ４は、両凹の負レンズＬ４１及び物体に凸面を向けた正メニスカスレンズＬ４２からなる接合レンズのみで構成されている。近物体距離へのフォーカシングに際して、第２レンズ群Ｇｒ２と第３レンズ群Ｇｒ３との間隔が広くなるように、第２レンズ群Ｇｒ２及び第３レンズ群Ｇｒ３がそれぞれ物体側へ移動する（矢印ｍＦ２，ｍＦ３）。
【００５６】
第４の実施の形態の撮像レンズＬＮ（図４）において、各レンズ群は物体側から順に以下のように構成されている。第１レンズ群Ｇｒ１は、物体側に凸面を向けた負メニスカスレンズＬ１１と、両凹の負レンズＬ１２と、像側に凸面を向けた正メニスカスレンズＬ１３と、両凸の正レンズＬ１４と、両凸の正レンズＬ１５及び両凹の負レンズＬ１６からなる接合レンズと、絞りＳＴと、像側に凸面を向けた正メニスカスレンズＬ１７と、で構成されている。第２レンズ群Ｇｒ２は、両凹の負レンズＬ２１と両凸の正レンズＬ２２からなる接合レンズのみで構成されており、この接合レンズの最も像側のレンズ面は非球面からなっている。第３レンズ群Ｇｒ３は、両凸の両面非球面の正レンズＬ３１のみで構成されている。第４レンズ群Ｇｒ４は、両凹の負レンズＬ４１及び物体に凸面を向けた正メニスカスレンズＬ４２からなる接合レンズのみで構成されている。近物体距離へのフォーカシングに際して、第２レンズ群Ｇｒ２と第３レンズ群Ｇｒ３との間隔が広くなるように、第２レンズ群Ｇｒ２及び第３レンズ群Ｇｒ３がそれぞれ物体側へ移動する（矢印ｍＦ２，ｍＦ３）。
【００５７】
第５の実施の形態の撮像レンズＬＮ（図５）において、各レンズ群は物体側から順に以下のように構成されている。第１レンズ群Ｇｒ１は、物体側に凸面を向けた負メニスカスレンズＬ１１と、両凹の負レンズＬ１２と、両凸の正レンズＬ１３と、両凸の正レンズＬ１４と、両凸の正レンズＬ１５及び両凹の負レンズＬ１６からなる接合レンズと、絞りＳＴと、像側に凸面を向けた正メニスカスレンズＬ１７と、で構成されている。第２レンズ群Ｇｒ２は、両凹の負レンズＬ２１と両凸の正レンズＬ２２からなる接合レンズのみで構成されており、この接合レンズの最も像側のレンズ面は非球面からなっている。第３レンズ群Ｇｒ３は、両凸の両面非球面の正レンズＬ３１のみで構成されている。第４レンズ群Ｇｒ４は、両凹の負レンズＬ４１及び両凸の正レンズＬ４２からなる接合レンズのみで構成されている。近物体距離へのフォーカシングに際して、第２レンズ群Ｇｒ２と第３レンズ群Ｇｒ３との間隔が狭くなるように、第２レンズ群Ｇｒ２及び第３レンズ群Ｇｒ３がそれぞれ物体側へ移動する（矢印ｍＦ２，ｍＦ３）。
【実施例】
【００５８】
以下、本発明を実施した撮像レンズの構成等を、実施例のコンストラクションデータ等を挙げて更に具体的に説明する。ここで挙げる実施例１〜５（ＥＸ１〜５）は、前述した第１〜第５の実施の形態にそれぞれ対応する数値実施例であり、第１〜第５の実施の形態を表すレンズ構成図（図１〜図５）は、対応する実施例１〜５の光学構成をそれぞれ示している。
【００５９】
各実施例のコンストラクションデータでは、面データとして、左側の欄から順に、面番号ｉ（ＯＢ：物面，ＳＴ：絞り面，ＩＭ：像面），近軸における曲率半径Ｒｉ（ｍｍ），軸上面間隔Ｄｉ（ｍｍ），ｄ線（波長：５８７．５６ｎｍ）に関する屈折率Ｎｄ，及びｄ線に関するアッベ数νｄを示す。
【００６０】
面番号ｉに＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
ｚ＝（ｃ・ｈ2）／［１＋√｛１−（１＋Ｋ）・ｃ2・ｈ2｝］＋Σ（Ａｊ・ｈj）  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ｃ：面頂点での曲率（曲率半径ｒの逆数）、
Ｋ：円錐定数、
Ａｊ：ｊ次の非球面係数、
である。
【００６１】
各種データとして、全系の焦点距離（ｆ，ｍｍ），Ｆナンバー（ＦＮＯ．），全画角（２ω，°），最大像高（ｙ’ｍａｘ，ｍｍ），レンズ全長（ＴＬ，ｍｍ），バックフォーカス（ＢＦ，ｍｍ）を示す。ただし、ここで使っているバックフォーカスＢＦは平行平面板ＰＴの像側面から像面ＩＭまでの距離であり、レンズ全長ＴＬはレンズ最前面から像面ＩＭまでの距離である。
【００６２】
さらに、フォーカシングにより変化する可変パラメータとして、可変の軸上面間隔Ｄｉ（ｍｍ）を、第１フォーカスポジションＰＯＳ１と第２フォーカスポジションＰＯＳ２のそれぞれについて示し、レンズ群データとして、第１レンズ群Ｇｒ１の焦点距離（ｆ１，ｍｍ），第２レンズ群Ｇｒ２の焦点距離（ｆ２，ｍｍ），第３レンズ群Ｇｒ３の焦点距離（ｆ３，ｍｍ），及び第４レンズ群Ｇｒ４の焦点距離（ｆ４，ｍｍ）を示す。また、表１に各実施例の条件式対応値を示す。
【００６３】
図６〜図１０は、実施例１〜実施例５（ＥＸ１〜ＥＸ５）にそれぞれ対応する縦収差図であり、（Ａ）〜（Ｃ）は第１フォーカスポジションＰＯＳ１、（Ｄ）〜（Ｆ）は第２フォーカスポジションＰＯＳ２における諸収差をそれぞれ示している。また、図６〜図１０中、（Ａ）と（Ｄ）は球面収差図、（Ｂ）と（Ｅ）は非点収差図、（Ｃ）と（Ｆ）は歪曲収差図である。
【００６４】
球面収差図は、一点鎖線で示すＣ線（波長６５６．２８ｎｍ）に対する球面収差量、実線で示すｄ線（波長５８７．５６ｎｍ）に対する球面収差量、破線で示すｇ線（波長４３５．８４ｎｍ）に対する球面収差量を、それぞれ近軸像面からの光軸ＡＸ方向のズレ量（ｍｍ）で表しており、縦軸はＦ値を表している。非点収差図において、破線Ｍはｄ線に対するメリディオナル像面、実線Ｓはｄ線に対するサジタル像面を、それぞれ近軸像面からの光軸ＡＸ方向のズレ量（ｍｍ）で表しており、縦軸は像高Ｙ’（ｍｍ）を表している。歪曲収差図において、横軸はｄ線に対する歪曲（％）を表しており、縦軸は像高Ｙ’（ｍｍ）を表している。なお、像高Ｙ’は像面ＩＭにおける最大像高ｙ’ｍａｘ（撮像素子ＳＲの受光面ＳＳの対角長の半分）に相当する。
【００６５】
図１１，図１３，図１５，図１７及び図１９は、第１フォーカスポジションＰＯＳ１での実施例１〜実施例５（ＥＸ１〜ＥＸ５）にそれぞれ対応する横収差図であり、図１２，図１４，図１６，図１８及び図２０は、第２フォーカスポジションＰＯＳ２での実施例１〜実施例５（ＥＸ１〜ＥＸ５）にそれぞれ対応する横収差図である。図１１〜図２０のそれぞれにおいて、（Ａ）〜（Ｃ）はメリディオナルコマ収差（ｍｍ）、（Ｄ）〜（Ｆ）はサジタルコマ収差（ｍｍ）を、各像高Ｙ’（ｍｍ）について示している。なお、図６〜図１０と同様、一点鎖線はＣ線（波長６５６．２８ｎｍ）、実線はｄ線（波長５８７．５６ｎｍ）、破線はｇ線（波長４３５．８４ｎｍ）である。
【００６６】
実施例１
単位：mm
面データ
i           Ri(mm)     Di(mm)          Nd       νd
0(OB)           ∞         ∞
1          107.684       2.20      1.5168      64.2
2           26.867      12.62
3           42.333       9.55      1.9212      24.0
4         -111.501       2.00      1.5688      56.0
5           24.982      11.31
6          -39.056       2.00      1.6727      32.2
7          301.060       0.40
8           59.363       8.41      1.8348      42.7
9          -47.408       0.81
10         -69.545       1.80      1.8052      25.5
11          24.613      10.86      1.5928      68.6
12        -214.044       0.40
13*         48.233       8.29      1.7432      49.3
14*        -78.841       2.50
15(ST)          ∞       3.52
16*        102.809       1.80      1.5831      59.4
17*         39.230      20.74
18*         46.667       8.34      1.8086      40.4
19*        -45.905       2.50
20        -566.682       1.50      1.6477      33.8
21          34.836      25.43
22              ∞       2.00      1.5168      64.2
23              ∞       1.00
24(IM)          ∞       0.00
【００６７】
非球面データ
第13面
K=  0.00000E+00
A4= -0.17067E-05
A6= -0.20919E-08
A8=  0.68691E-11
A10= -0.34731E-14
【００６８】
非球面データ
第14面
K=  0.00000E+00
A4=  1.71541E-06
A6= -4.18702E-09
A8=  1.06397E-11
A10= -1.07892E-14
【００６９】
非球面データ
第16面
K=  0.00000E+00
A4=  0.59648E-05
A6= -0.57361E-08
A8=  0.00000E+00
A10=  0.00000E+00
【００７０】
非球面データ
第17面
K=  0.00000E+00
A4=  5.59203E-06
A6=  2.40969E-10
A8= -2.04447E-11
A10=  2.11460E-14
【００７１】
非球面データ
第18面
K=  0.00000E+00
A4= -0.18309E-05
A6= -0.59764E-08
A8=  0.30810E-10
A10= -0.49169E-13
【００７２】
非球面データ
第19面
K=  0.00000E+00
A4=  7.35080E-06
A6= -1.16284E-08
A8=  3.85069E-11
A10= -5.50894E-14
【００７３】
各種データ
f     =    34.20
FNO.  =     1.44
2ω   =    64.55
y'max =    21.60
TL    =   140.00
BF    =     1.00
【００７４】
可変パラメータ(間隔)
D0      D15      D17      D19
POS1         ∞     3.52    20.74     2.50
POS2     160.00    11.01    11.79     3.97
【００７５】
レンズ群データ
f1  =    47.836
f2  =  -109.496
f3  =    29.650
f4  =   -50.270
【００７６】
実施例２
単位：mm
面データ
i           Ri(mm)     Di(mm)          Nd       νd
0(OB)           ∞         ∞
1          139.851       2.10      1.4970      81.6
2           33.329      17.44
3          -68.350       1.30      1.8467      23.8
4           99.847       7.18
5          129.921      10.89      1.7292      54.7
6          -64.491       4.35
7           64.745       6.58      1.9229      20.9
8         -869.001       5.24
9           33.335       9.93      1.6968      55.5
10         -65.301       1.30      1.7552      27.5
11          26.859       6.40
12(ST)          ∞       3.90
13         -39.131       2.36      1.8340      37.3
14         -35.376       9.73
15         -26.577       1.91      1.6477      33.8
16          35.322       6.30      1.8042      46.5
17*        -63.555       2.19
18*         93.622       9.00      1.5928      68.6
19*        -28.104       2.32
20        -222.695       1.80      1.6727      32.2
21          71.073       3.74      1.8348      42.7
22         158.931      21.79
23              ∞       1.41      1.5168      64.2
24              ∞       0.80
25(IM)          ∞       0.00
【００７７】
非球面データ
第17面
K= -8.33024E+00
A4=  4.09750E-07
A6=  3.57499E-08
A8= -1.06617E-10
A10=  3.61125E-13
【００７８】
非球面データ
第18面
K= -8.30491E+01
A4=  2.46604E-06
A6= -2.62684E-08
A8=  2.09763E-11
A10=  0.00000E+00
【００７９】
非球面データ
第19面
K=  7.95219E-01
A4=  5.82103E-06
A6=  0.00000E+00
A8=  0.00000E+00
A10=  0.00000E+00
【００８０】
各種データ
f     =    34.13
FNO.  =     1.44
2ω   =    64.66
y'max =    21.60
TL    =   140.00
BF    =     0.80
【００８１】
可変パラメータ(間隔)
D0      D14      D17      D19
POS1         ∞     9.73     2.19     2.32
POS2     160.00     4.22     2.39     7.63
【００８２】
レンズ群データ
f1  =    62.662
f2  =  -165.896
f3  =    37.366
f4  =  -164.850
【００８３】
実施例３
単位：mm
面データ
i           Ri(mm)     Di(mm)          Nd       νd
0(OB)           ∞         ∞
1          170.800       2.30      1.4970      81.6
2           32.766      17.57
3          -41.320       1.70      1.9212      24.0
4         1000.000       2.08
5         -814.174       9.53      1.7292      54.7
6          -44.196       3.17
7           77.662       7.01      1.9229      20.9
8         -152.330       4.57
9           38.906       9.79      1.6968      55.5
10         -56.096       4.21      1.7552      27.5
11          32.955       5.92
12(ST)          ∞       4.42
13         -35.349       2.46      1.8340      37.3
14         -32.201      10.64
15         -26.254       1.90      1.6477      33.8
16          42.298       6.30      1.8042      46.5
17*        -51.922       3.05
18*        180.516       9.00      1.5928      68.6
19*        -27.509       2.25
20      -11019.982       1.80      1.6727      32.2
21          66.256       6.30      1.8348      42.7
22          98.672      21.79
23              ∞       1.41      1.5168      64.2
24              ∞       0.80
25(IM)          ∞       0.00
【００８４】
非球面データ
第17面
K= -1.51263E+01
A4= -5.93338E-06
A6=  4.46039E-08
A8= -1.08164E-10
A10=  3.26021E-13
【００８５】
非球面データ
第18面
K= -3.33030E+02
A4=  1.22251E-06
A6= -2.42964E-08
A8=  2.25081E-11
A10=  0.00000E+00
【００８６】
非球面データ
第19面
K=  6.22224E-01
A4=  5.02896E-06
A6=  0.00000E+00
A8=  0.00000E+00
A10=  0.00000E+00
【００８７】
各種データ
f     =    35.53
FNO.  =     1.44
2ω   =    62.64
y'max =    21.60
TL    =   140.00
BF    =     0.80
【００８８】
可変パラメータ(間隔)
D0      D14      D17      D19
POS1         ∞    10.64     3.05     2.25
POS2     160.00     4.48     3.40     8.06
【００８９】
レンズ群データ
f1  =    69.049
f2  =  -257.167
f3  =    40.786
f4  =  -165.073
【００９０】
実施例４
単位：mm
面データ
i           Ri(mm)     Di(mm)          Nd       νd
0(OB)           ∞         ∞
1          131.492       2.30      1.4970      81.6
2           32.076      20.51
3          -40.171       1.70      1.9212      24.0
4         1000.000       2.03
5         -848.667       9.33      1.7292      54.7
6          -43.256       3.00
7           74.030       7.05      1.9229      20.9
8         -151.422       2.80
9           39.546       9.86      1.6968      55.5
10         -55.476       4.37      1.7552      27.5
11          33.297       5.97
12(ST)          ∞       4.29
13         -39.098       3.58      1.8340      37.3
14         -34.880      10.02
15         -26.096       1.90      1.6477      33.8
16          38.047       6.30      1.8042      46.5
17*        -66.282       2.36
18*         90.697       9.00      1.5928      68.6
19*        -27.712       2.28
20        -270.761       1.80      1.6727      32.2
21          97.453       5.51      1.8348      42.7
22         122.103      21.79
23              ∞       1.41      1.5168      64.2
24              ∞       0.80
25(IM)          ∞       0.00
【００９１】
非球面データ
第17面
K= -1.50231E+01
A4= -5.84653E-06
A6=  4.74667E-08
A8= -1.11917E-10
A10=  3.12540E-13
【００９２】
非球面データ
第18面
K= -8.67177E+01
A4= -4.59806E-07
A6= -1.81578E-08
A8=  1.63557E-11
A10=  0.00000E+00
【００９３】
非球面データ
第19面
K=  6.67878E-01
A4=  5.84582E-06
A6=  0.00000E+00
A8=  0.00000E+00
A10=  0.00000E+00
【００９４】
各種データ
f     =    35.83
FNO.  =     1.52
2ω   =    62.17
y'max =    21.60
TL    =   140.00
BF    =     0.80
【００９５】
可変パラメータ(間隔)
D0      D14      D17      D19
POS1         ∞    10.02     2.36     2.28
POS2     160.00     4.26     2.56     7.83
【００９６】
レンズ群データ
f1  =    61.096
f2  =  -136.230
f3  =    36.723
f4  =  -129.055
【００９７】
実施例５
単位：mm
面データ
i           Ri(mm)     Di(mm)          Nd       νd
0(OB)           ∞         ∞
1           80.976       2.34      1.4970      81.6
2           26.843      24.10
3          -38.099       1.85      1.9183      24.0
4         1000.000       2.20
5         1099.622      10.39      1.7292      54.7
6          -42.472       2.35
7           75.702       6.92      1.9229      20.9
8         -169.790       3.75
9           44.667       9.41      1.6968      55.5
10         -49.147       2.95      1.7552      27.5
11          42.833       5.69
12(ST)          ∞       3.81
13         -56.673       2.78      1.8340      37.3
14         -42.143      10.18
15         -27.235       2.00      1.6477      33.8
16          43.642       6.30      1.8042      46.5
17*        -53.989       3.19
18*       1364.266       6.51      1.5928      68.6
19*        -30.573       2.46
20         -56.799       1.80      1.6727      32.2
21         136.135       4.59      1.8348      42.7
22        -173.569      22.19
23              ∞       1.41      1.5168      64.2
24              ∞       0.80
25(IM)          ∞       0.00
【００９８】
非球面データ
第17面
K= -2.16710E+01
A4= -1.00149E-05
A6=  3.76307E-08
A8= -9.24834E-11
A10=  1.24226E-13
【００９９】
非球面データ
第18面
K= -3.45124E+17
A4=  4.52556E-07
A6= -1.75130E-08
A8= -5.92798E-12
A10=  0.00000E+00
【０１００】
非球面データ
第19面
K=  8.86388E-01
A4=  7.27378E-06
A6=  0.00000E+00
A8=  0.00000E+00
A10=  0.00000E+00
【０１０１】
各種データ
f     =    35.05
FNO.  =     1.58
2ω   =    63.29
y'max =    21.60
TL    =   140.00
BF    =     0.80
【０１０２】
可変パラメータ(間隔)
D0      D14      D17      D19
POS1         ∞    10.18     3.19     2.46
POS2     160.00     4.29     2.25     9.29
【０１０３】
レンズ群データ
f1  =    45.314
f2  =  -263.165
f3  =    50.355
f4  =  -175.486
【０１０４】
【表１】
0006631412.tif 000002
【符号の説明】
【０１０５】
ＤＵ    デジタル機器
ＬＵ    撮像光学装置
ＬＮ    撮像レンズ
Ｇｒ１    第１レンズ群
Ｇｒ２    第２レンズ群
Ｇｒ３    第３レンズ群
Ｇｒ４    第４レンズ群
ＳＴ    絞り
ＳＲ    撮像素子
ＳＳ    受光面（撮像面）
ＩＭ    像面（光学像）
ＡＸ    光軸
１    信号処理部
２    制御部
３    メモリー
４    操作部
５    表示部
【図１】
0006631412.tif 000003
【図２】
0006631412.tif 000004
【図３】
0006631412.tif 000005
【図４】
0006631412.tif 000006
【図５】
0006631412.tif 000007
【図６】
0006631412.tif 000008
【図７】
0006631412.tif 000009
【図８】
0006631412.tif 000010
【図９】
0006631412.tif 000011
【図１０】
0006631412.tif 000012
【図１１】
0006631412.tif 000013
【図１２】
0006631412.tif 000014
【図１３】
0006631412.tif 000015
【図１４】
0006631412.tif 000016
【図１５】
0006631412.tif 000017
【図１６】
0006631412.tif 000018
【図１７】
0006631412.tif 000019
【図１８】
0006631412.tif 000020
【図１９】
0006631412.tif 000021
【図２０】
0006631412.tif 000022
【図２１】
0006631412.tif 000023